(57)【特許請求の範囲】
【請求項１】
交流電源または太陽電池にて発電した電力を蓄えることのできる蓄電池から供給される電力によって動作する空気調和機であって、
電力の供給源を交流電源と上記蓄電池とで切り替える切替部と、
電力の供給源が上記蓄電池であるときに、上記蓄電池から供給される電圧が所定の閾値未満となる異常が発生したことを検出した場合に、上記切替部を制御して電力の供給源を交流電源に切り替える制御部と、
上記太陽電池にて発電した電力の売電開始を検出するための売電開始検出回路と、を備え、
上記空気調和機は、室内機と、室外機と、を有し、
上記制御部は、上記売電開始検出回路からの出力に基づいて売電開始を検出した場合に、上記切替部を制御して上記室外機への電力の供給源を、上記蓄電池を使用する場合よりも売電価格が高くなる交流電源に切り替えることを特徴とする空気調和機。
【請求項２】
上記異常を検出するための電圧異常検出回路を備えていることを特徴とする請求項１に記載の空気調和機。
【請求項３】
上記蓄電池の昇圧回路から供給される電圧が所定の閾値未満となる上記異常を検出するための昇圧後電圧異常検出回路を備えていることを特徴とする請求項１または２に記載の空気調和機。
【請求項４】
上記蓄電池の上記空気調和機への接続部分における温度異常を検出するための温度異常検出回路を備えていることを特徴とする請求項１から３のいずれか１項に記載の空気調和機。
【請求項５】
ユーザが上記空気調和機を動作停止状態とすることを検出するための停止検出回路を備え、
上記制御部は、前記電力の供給源が上記蓄電池であるときに、上記停止検出回路からの出力に基づいて上記ユーザが上記空気調和機を動作停止状態とすることを検出した場合に、上記切替部を制御して上記室外機への電力の供給源を交流電源に切り替えることを特徴とする請求項１から４のいずれか１項に記載の空気調和機。
【請求項６】
上記売電開始検出回路は、非売電時には上記異常を検出するための値を出力し、売電時には上記制御部が、上記異常と検出する値を出力し、
上記制御部は、売電開始検出回路からの出力に基づいて上記異常を検出した場合に、上記切替部を制御して上記室外機への電力の供給源を交流電源に切り替えることを特徴とする請求項１から５のいずれか１項に記載の空気調和機。
【請求項７】
上記売電開始検出回路は、売電が開始された、または開始されることを示す売電信号を外部の装置から受信し、該売電信号を受信したことを示す値を上記制御部に出力するものであり、
上記外部の装置から上記売電信号を受信する配線に、該売電信号に含まれるノイズを除去するノイズ除去部が設けられていることを特徴とする請求項１から６のいずれか１項に記載の空気調和機。
【請求項８】
交流電源または太陽電池にて発電した電力を蓄えることのできる蓄電池から供給される電力によって動作する空気調和機の制御方法であって、
上記空気調和機は、室内機と、室外機とを有し、
上記蓄電池から供給される電圧が所定の閾値未満となる異常が発生したことを検出する検出ステップと、
上記太陽電池にて発電した電力の売電開始を検出するための売電開始検出ステップと、
電力の供給源が上記蓄電池であるときに、上記検出ステップにて上記異常が発生したことを検出した場合、および、電力の供給源が上記蓄電池であるときに、上記売電開始検出ステップにおいて売電開始を検出した場合に、上記室外機への電力の供給源を、上記蓄電池を使用する場合よりも売電価格が高くなる交流電源に切り替える切替ステップと、を含むことを特徴とする空気調和機の制御方法。
【請求項９】
上記検出ステップでは、ユーザが上記空気調和機を動作停止状態とすることを検出し、
上記切替ステップでは、電力の供給源が上記蓄電池であるときに、上記検出ステップにてユーザが上記空気調和機を動作停止状態とすることを検出した場合に、上記室外機への電力の供給源を交流電源に切り替えることを特徴とする請求項８に記載の空気調和機の制御方法。
【発明の詳細な説明】
【技術分野】
【０００１】
本発明は、交流電源または直流電源から供給される電力によって動作する空気調和機等に関する。
【背景技術】
【０００２】
室内の気温、湿度、または空気清浄度などを調節する空気調和機は従来から広く用いられている。また、近年では蓄電池（直流電源）から供給される電力と、商用電源（交流電源）から供給される電力との両方を利用可能な空気調和機も開発されている（例えば下記の特許文献１）。具体的には、特許文献１には、蓄電池の電圧が低下したときに、商用電源ラインから蓄電池に充電を行うことが記載されている。
【先行技術文献】
【特許文献】
【０００３】
【特許文献１】特開２０００−２１７２７１号公報（２０００年８月４日公開）
【発明の概要】
【発明が解決しようとする課題】
【０００４】
しかしながら、上述のような従来技術では、直流電源の使用時に生じ得る問題の発生を回避することができない場合がある。すなわち、蓄電池などの直流電源の使用時には、蓄電している電力量の低下以外にも様々な問題が発生し得るが、電圧低下後も蓄電池の使用を継続する上記従来技術では、これら問題を回避することができない。
【０００５】
例えば、蓄電池、蓄電池と空気調和機との接続部分、空気調和機内の回路などに接触不良や断線などの障害が生じる可能性があり、上記従来技術ではこのような障害の発生時に空気調和機を動作させることができなくなる。また、空気調和機の回路構成によっては、空気調和機を動作停止した後も、蓄電池から室外機への電力供給が継続して、不要な待機電力を消費する場合もある。
【０００６】
本発明は、前記の問題点に鑑みてなされたものであり、その目的は、直流電源の使用状態を継続することによって生じ得る問題の発生を回避することができる空気調和機等を実現することにある。
【課題を解決するための手段】
【０００７】
上記の課題を解決するために、本発明に係る空気調和機は、交流電源または太陽電池にて発電した電力を蓄えることのできる蓄電池から供給される電力によって動作する空気調和機であって、電力の供給源を交流電源と上記蓄電池とで切り替える切替部と、電力の供給源が上記蓄電池であるときに、上記蓄電池から供給される電圧が所定の閾値未満となる異常が発生したことを検出した場合に、上記切替部を制御して電力の供給源を交流電源に切り替える制御部と、上記太陽電池にて発電した電力の売電開始を検出するための売電開始検出回路と、を備え、上記空気調和機は、室内機と、室外機と、を有し、上記制御部は、上記売電開始検出回路からの出力に基づいて売電開始を検出した場合に、上記切替部を制御して上記室外機への電力の供給源を、上記蓄電池を使用する場合よりも売電価格が高くなる交流電源に切り替えることを特徴とする。
を備えている。
【０００８】
そして、本発明に係る空気調和機の制御方法は、上記の課題を解決するために、交流電源または太陽電池にて発電した電力を蓄えることのできる蓄電池から供給される電力によって動作する空気調和機の制御方法であって、上記空気調和機は、室内機と、室外機とを有し、上記蓄電池から供給される電圧が所定の閾値未満となる異常が発生したことを検出する検出ステップと、上記太陽電池にて発電した電力の売電開始を検出するための売電開始検出ステップと、電力の供給源が上記蓄電池であるときに、上記検出ステップにて上記異常が発生したことを検出した場合、および電力の供給源が上記蓄電池であるときに、上記売電開始検出ステップからの出力に基づいて売電開始を検出した場合に、上記室外機への電力の供給源を、上記蓄電池を使用する場合よりも売電価格が高くなる交流電源に切り替える切替ステップと、を含むことを特徴とする。
【発明の効果】
【０００９】
本発明の上記各態様によれば、直流電源の使用状態を継続することによって生じ得る問題の発生を回避することができるという効果を奏する。
【図面の簡単な説明】
【００１０】
【図１】本発明の実施形態１に係る空気調和機の要部構成の一例を示す図である。
【図２】上記空気調和機が備えるＤＣ電源ＳＷと、その変形例を示す図である。
【図３】上記空気調和機が備える室外機マイコンによる使用電源の切り替えの一例を示す図である。
【図４】ＤＣ過小電圧エラーの発生時に、使用電源をＤＣ電源からＡＣ電源に切り替える切替処理の一例を示すフローチャートである。
【図５】昇圧後ＤＣ過小電圧エラーの発生時に、使用電源をＤＣ電源からＡＣ電源に切り替える切替処理の一例を示すフローチャートである。
【図６】端子温度上昇エラーの発生時に、使用電源をＤＣ電源からＡＣ電源に切り替える切替処理の一例を示すフローチャートである。
【図７】任意のエラーの発生時に、使用電源をＤＣ電源からＡＣ電源に切り替える切替処理の一例を示すフローチャートである。
【図８】運転停止時に使用電源をＤＣ電源からＡＣ電源に切り替える切替処理の一例を示すフローチャートである。
【図９】本発明の実施形態２に係る、売電開始時に電力供給源をＤＣ電源からＡＣ電源に切り替えるシステムの概要を示すブロック図である。
【図１０】上記システムに含まれる室外機およびパワーコンディショナの要部構成を示す図である。
【図１１】売電開始検出時に、使用電源をＤＣ電源からＡＣ電源に切り替える切替処理の一例を示すフローチャートである。
【図１２】ＤＣ電圧異常検出回路を利用して売電開始を検出する売電開始検出回路の例を示す図である。
【図１３】伝送される信号のノイズを抑制するための構成を備えた売電開始検出回路およびの例を示す図である。
【発明を実施するための形態】
【００１１】
〔実施形態１〕
以下、本発明の実施の形態について、図１から図８に基づいて詳細に説明する。
【００１２】
〔空気調和機の構成〕
本実施形態に係る空気調和機１の構成を図１に基づいて説明する。図１は、空気調和機１の要部構成の一例を示す図である。なお、本発明の特徴点と関連性の低い構成（例えば熱交換器等）については、適宜図示を省略している。空気調和機１は、被空調空間（例えば室内）の気温を調節（空調）する装置である。
【００１３】
図示のように、空気調和機１は、室内機１０と室外機２０とを備えている。そして、室内機１０にはＡＣ電源６０が接続されており、室外機２０にはＤＣ電源（直流電源）５０およびＡＣ電源（交流電源）６０の両方が接続されている。ＡＣ電源６０は商用電源であり、ＤＣ電源５０は蓄電池（二次電池）である。ＤＣ電源５０は、図示しない太陽電池に接続されており、該太陽電池が発電した電力を蓄電して、室外機２０に供給することができる。
【００１４】
室内機１０は、ＡＣ電源ＳＷ１１を備えている。ＡＣ電源ＳＷ１１は、ＡＣ電源６０からの電力を室内機１０および室外機２０の各部に供給する状態（ＯＮ）と、供給停止する状態（ＯＦＦ）とを切り替えるスイッチ（リレースイッチ）である。室内機１０においては、ＡＣ電源６０に接続されている限り、図示しない室内機マイコンが動作しており、図示しないリモートコントローラからの信号を受理可能な状態にある。そして、ＡＣ電源ＳＷ１１は上記室内機マイコンが制御する。
【００１５】
例えば図示しないリモートコントローラ等により、空気調和機１に運転開始指示を送信すると、ＡＣ電源ＳＷ１１がＯＦＦからＯＮに切り替えられる。そして、これにより、ＡＣ電源６０からの電圧が室外機２０に供給される。
【００１６】
室外機２０は、ＤＣ電源ＳＷ２１、ＡＣ電源ＳＷ２２、フィルタ回路２３、ＤＣ電圧異常検出回路（電圧異常検出回路）２４、ダイオード２５、ＡＣＤＣ切替ＳＷ（切替部）２６、コンバータ（昇圧回路）２７、コンバータ異常検出回路（昇圧後電圧異常検出回路）２８、インバータ２９、モータ３０、電源回路３１、室外機マイコン（制御部）３２、ＤＣ端子板温度ヒューズ３３、および整流回路３４を備えている。
【００１７】
ＤＣ電源ＳＷ２１は、ＤＣ電源５０からの電力を室内機１０および室外機２０の各部に供給する状態（ＯＮ）と、供給停止する状態（ＯＦＦ）とを切り替えるスイッチ（リレースイッチ）である。なお、図示の例では、ＤＣ電源ＳＷ２１をＤＣ電源５０の正極側に１つ設けているが、負極側にも設けてもよい。これについて、図２に基づいて説明する。図２は、ＤＣ電源ＳＷ２１と、その変形例を示す図である。同図の（ａ）に示すＤＣ電源ＳＷ２１は、図１の例と同じ構成である。一方、同図の（ｂ）に示すＤＣ電源ＳＷ２１ａは、正極側と負極側の両方にスイッチが設けられている点でＤＣ電源ＳＷ２１と異なっている。このように２つのスイッチを設けることにより、１つの場合よりも安全性を高めることができる。例えば、ＡＣＤＣ切替ＳＷ２６が溶着してしまった場合に、ＤＣ電源５０側の回路を確実に絶縁して、ＡＣ電源６０とＤＣ電源５０が通電する等の問題の発生を回避することができる。
【００１８】
ＡＣ電源ＳＷ２２は、ＡＣ電源６０からの電力を室内機１０および室外機２０の各部に供給する状態（ＯＮ）と、供給停止する状態（ＯＦＦ）とを切り替えるスイッチ（リレースイッチ）である。
【００１９】
フィルタ回路２３は、ＤＣ電源５０からの電流のうち、所定範囲の周波数の電流を通過させ、他の周波数の電流を阻止する回路である。
【００２０】
ＤＣ電圧異常検出回路２４は、ＤＣ電源５０が供給する電圧値に異常が生じたことを検出するための回路である。より詳細には、ＤＣ電圧異常検出回路２４は、ＤＣ電源５０と並列に接続された２つの抵抗（抵抗２４１と２４２）と、室外機マイコン３２に参照電圧を出力する配線（直列に接続された抵抗２４１と２４２との間に接続されている）とを含む回路である。ＤＣ電圧異常検出回路２４からは、ＤＣ電源５０が供給する電圧と、抵抗２４１と２４２との分圧抵抗比とに応じた参照電圧が室外機マイコン３２に出力される。抵抗２４１は例えば７８０ＫΩ、抵抗２４２は例えば３７．５ＫΩとしてもよい。そして、この場合、室外機マイコン３２は、ＤＣ電圧異常検出回路２４からの出力電圧値が所定の閾値（例えば３．７５Ｖ：ＤＣ電源５０の供給電圧が約８０Ｖの場合に相当）未満となったときに、ＤＣ過小電圧エラーが発生したと判定してもよい。
【００２１】
ダイオード２５は、電流の逆流を防ぐためのものであり、ＤＣ電源５０の正極側に配置されている。ダイオード２５が配置されていることにより、ＤＣ電源５０の正極と負極とを誤って逆に接続してしまった場合であっても、室外機２０内で電流が逆流することがない。また、この場合、ＤＣ電圧異常検出回路２４からの出力は０Ｖとなり、室外機マイコン３２はＤＣ過小電圧エラーが発生したと判定する。詳細は後述するが、ＤＣ過小電圧エラーの発生時には、電力の供給源をＡＣ電源６０に切り替えるので、ＤＣ電源５０の正極と負極とを誤って逆に接続してしまった場合であっても、空気調和機１をＡＣ電源６０にて動作させることができる。
【００２２】
ＡＣＤＣ切替ＳＷ２６は、ＡＣ電源６０からの電力を室内機１０および室外機２０の各部に供給する状態（ＯＮ）と、供給停止する状態（ＯＦＦ）とを切り替えるスイッチ（リレースイッチ）である。
【００２３】
コンバータ２７は昇圧回路であり、コンバータ異常検出回路２８はコンバータ２７による昇圧後の電圧値に異常が生じたことを検出するための回路である。コンバータ異常検出回路２８は、コンバータ２７と並列に接続された２つの抵抗（抵抗２８２、２８３）と、室外機マイコン３２に参照電圧を出力する配線（直列に接続された抵抗２８２と２８３との間に接続されている）とを含む回路である。また、これらの抵抗２８２および２８３と並列に接続されたコンデンサ２８１も含まれている。コンバータ異常検出回路２８は、ＤＣ電圧異常検出回路２４と同様の原理にて、コンバータ２７による昇圧後の電圧と、抵抗２８２と２８３との分圧抵抗比とに応じた参照電圧を室外機マイコン３２に出力する。室外機マイコン３２は、この参照電圧と所定の閾値とを比較して、参照電圧が該閾値未満であること、すなわち昇圧後ＤＣ過小電圧エラーを検出する。例えば、コンバータ２７が動作不良となったときにこのエラーが検出される。
【００２４】
インバータ２９は、直流電流を交流電流に変換すると共に、該交流電流の周波数を変えることにより、モータ３０の回転数を変化させる。また、モータ３０は、図示しない圧縮機を動作させるためのものである。
【００２５】
電源回路３１は、室外機マイコン３２に電力を供給する回路であり、室外機マイコン３２は、電源回路３１からの電力の供給を受けて室外機２０の各部を制御するものである。具体的には、室外機マイコン３２は、電力の供給源がＤＣ電源５０である状態で所定の事象が発生したことを検出した場合に、ＡＣＤＣ切替ＳＷ２６を制御して電力の供給源をＡＣ電源に切り替える。詳細は後述するが、上記所定の事象は、空気調和機１に異常が発生したこと、および空気調和機１を動作停止状態とすることである。なお、室外機マイコン３２は、集積回路（ＩＣチップ）等に形成された論理回路（ハードウェア）によって実現してもよいし、ＣＰＵ（Central Processing Unit）を用いてソフトウェアによって実現してもよい。
【００２６】
ＤＣ端子板温度ヒューズ３３は、ＤＣ電源５０の空気調和機１への接続部分における温度異常を検出するためのヒューズであり、図示しないＤＣ端子板に過大な電流が流れたときに断線する。ＤＣ端子板温度ヒューズ３３は、室外機マイコン３２と配線で接続されており、ＤＣ端子板温度ヒューズ３３の断線時には、その旨を示す信号（ＤＣ端子板温度ヒューズ断線信号）が上記配線を介して室外機マイコン３２に出力される。そして、この信号を受信した室外機マイコン３２は、端子温度上昇エラーが発生したと検出する。つまり、ＤＣ端子板温度ヒューズ３３と上記配線は、ＤＣ電源５０の空気調和機１への接続部分における温度異常を検出するための温度異常検出回路として機能する。
【００２７】
整流回路３４は、交流電流を直流電流とする回路である。室内機１０のＡＣ電源ＳＷ１１がＯＮであるとき、ＡＣ電源６０からの電圧が整流回路３４に印可され、整流回路３４はＡＣＤＣ切替ＳＷ２６に直流電流を出力する。
【００２８】
〔使用電源の切り替え〕
室外機マイコン３２による使用電源の切り替えについて、図３に基づいて説明する。図３は、室外機マイコン３２による使用電源の切り替えの一例を示す図である。
【００２９】
同図の（ａ）には、ＡＣ電源６０（ＡＣ）からＤＣ電源５０（ＤＣ）への切替例を示している。なお、室外機マイコン３２がＡＣ電源６０（ＡＣ）からＤＣ電源５０（ＤＣ）に切り替える契機は特に限定されない。例えば、空調開始時から室温が設定温度付近になるまでの期間のように消費電力の多い（負荷の高い）期間には出力の安定したＡＣ電源６０を使用し、室温が設定温度付近になって消費電力が少なく（負荷が低く）なったときにＤＣ電源５０に切り替えてもよい。
【００３０】
同図の（ａ）の切替例では、室外機マイコン３２は、まずＡＣ電源ＳＷ２２をＯＮからＯＦＦに切り替え、次に、ＡＣＤＣ切替ＳＷ２６をＡＣからＤＣに切り替え、そして、ＤＣ電源ＳＷ２１をＯＦＦからＯＮに切り替える。
【００３１】
一方、同図の（ｂ）には、ＤＣからＡＣへの切替例を示している。詳細は後述するが、室外機マイコン３２は、運転の負荷に応じてＤＣからＡＣに切り替える他、空気調和機１に異常が発生したことを検出したとき、および空気調和機１を動作停止状態とすることを検出したときにＤＣからＡＣに切り替える。
【００３２】
同図の（ｂ）の切替例では、室外機マイコン３２は、まずＤＣ電源ＳＷ２１をＯＮからＯＦＦに切り替え、次に、ＡＣＤＣ切替ＳＷ２６をＤＣからＡＣに切り替え、そして、ＡＣ電源ＳＷ２２をＯＦＦからＯＮに切り替える。なお、例えばＤＣ電源５０の蓄電量が低下したとき等には、室外機マイコン３２への供給電圧も低下していくので、上記の一連の切り替えは、室外機マイコン３２が動作不能になる前（動作可能な程度の電圧が供給されている期間）に即座に行うことが望ましい。
【００３３】
〔切り替えの必要性〕
空気調和機１は、電源ＯＦＦ中（非運転時）には、室外機２０への電源供給がされておらず、電源ＯＮ（運転開始）によって室外機２０を動作させる必要が生じたときに、室内機１０が、ＡＣ電源ＳＷ１１をＯＮにする。これにより、図示しない室外機制御マイコンに電力が供給され、室外機２０にも電力が供給される。その後、室内機１０からの電力の供給によって動作可能となった室外機マイコン３２がＡＣ電源ＳＷ２２をＯＮにし、これにより室外機２０の制御が開始される。
【００３４】
ここで、空気調和機１に異常が発生して動作停止状態となった場合には、室内機１０が制御するＡＣ電源ＳＷ１１はそのままＯＮ継続して、室外機２０のみ一定時間停止後に再起動することで再度動作可能な状態とすることができる。また、発生した異常によっては、室内機１０がＡＣ電源ＳＷ１１をＯＦＦにして室外機２０への給電を停止することもある。この場合、室外機２０にＡＣ電力が供給されなくなるので、室外機マイコン３２への給電も停止される。また、ユーザ操作により空気調和機１の運転を停止した場合にも、室内機１０のＡＣ電源ＳＷ１１がＯＦＦに切り替えられ、これにより室外機マイコン３２への給電が停止される。
【００３５】
つまり、空気調和機１は、室内機１０のＡＣ電源ＳＷ１１をＯＮすることにより室外機マイコン３２に給電される仕様となっている。この仕様では、ＡＣ電源ＳＷ１１をＯＦＦにしたときに、室外機２０のＡＣＤＣ切替ＳＷ２６がＤＣ側であった場合、室外機マイコン３２への給電が停止されることにより、ＡＣＤＣ切替ＳＷ２６をＡＣ側に戻すことができなくなる。このため、室内機１０のＡＣ電源ＳＷ１１がＯＦＦされた後も、直流電源５０から室外機２０の各部への給電状態が維持されてしまう。
【００３６】
また、ＤＣ電源５０を使用した運転中に、ＤＣ電源５０との接続線が断絶される場合や、コンバータ２７の故障により動作に十分なＤＣ電圧が得ることができなくなる場合も想定される。このような場合、ＤＣ電圧が下がる前にＡＣＤＣ切替ＳＷ２６をＡＣ側にしないと、ＤＣ側のまま室外機マイコン３２への給電が停止されてＡＣＤＣ切替ＳＷ２６の切り替えができなくなる。この状態では、ＡＣ電源６０からの給電ができないため、室外機マイコン３２は再起動することができない。
【００３７】
そこで、室外機マイコン３２は、室内機１０のＡＣ電源ＳＷ１１がＯＦＦされるような条件を充足する場合（例えば空気調和機１の運転を停止させるユーザ操作を検出した場合等）には、ＡＣＤＣ切替ＳＷ２６をＡＣ側（商用電源側）に切り替える。これにより、室内機ＡＣ電源ＳＷがＯＦＦとなった後は、室外機２０への給電が停止されるが、ＡＣＤＣ切替ＳＷ２６はＡＣ側になっているので、直流電源５０から室外機２０の各部への給電状態が維持されることはない。よって、空気調和機１の停止時に無駄な電力を消費することはない。
【００３８】
また、室外機マイコン３２は、ＤＣ電源５０を使用した運転中に、ＤＣ電源５０に関係する可能性のある異常を検出した場合には、室外機マイコン３２に供給されるＤＣ電圧が下がる前に、即座にＡＣＤＣ切替ＳＷ２６をＡＣ側に切替える。もしくは、室外機マイコン３２は、ＤＣ電源５０を使用した運転中に異常を検出した場合は、検出した異常の種類にかかわらず、すべてＤＣ電源５０に関連した異常である可能性があると判断して、上記と同様の切り替えを行う。これにより、室内機１０のＡＣ電源ＳＷ１１をＯＮに切り替えれば、ＡＣＤＣ切替ＳＷ２６を介して室外機２０の各部に給電されるので、室外機２０が再起動できない状態を回避することができる。
【００３９】
このように、室外機マイコン３２は、ＡＣＤＣ切替ＳＷ２６を適切なタイミングでＡＣ側に切り替えることにより、ＡＣＤＣ切替ＳＷ２６がＤＣ側となっている場合に生じ得る問題の発生を回避し、空気調和機１を快適に使用できるようにしている。つまり、本発明によれば、快適で利便性の高い空気調和機１を提供することができる。
【００４０】
また、ＤＣ過小電圧エラーの発生時には、ＡＣＤＣ切替ＳＷ２６をＡＣ側に切り替えるので、ＤＣ電源５０の正極と負極とを誤って逆に接続してしまった場合であっても、空気調和機１をＡＣ電源６０にて動作させることができる。また、ＤＣ過小電圧エラーの発生が検出されて、電力の供給源がＡＣ電源６０に切り替わったことにより、ユーザはＤＣ電源５０に異常があることに気付くことができる。よって、設置工事の不備をユーザに気付かせて、ＤＣ電源５０の正極と負極を正しい向きに直させることができる。なお、ＤＣ電源５０の接続線が接続されていない場合にも、上記の例と同様にＤＣ過小電圧エラーが検出されるので、このような設置工事の不備についてもユーザに気付かせることができる。
【００４１】
〔切替処理の流れ（ＤＣ過小電圧エラー）〕
室外機マイコン３２は、ＤＣ電源５０からの出力電圧が低下してＤＣ過小電圧エラーが発生したときに、使用電源をＤＣ電源５０からＡＣ電源６０に切り替える。この切替処理の流れを図４に基づいて説明する。図４は、ＤＣ過小電圧エラーの発生時に、使用電源をＤＣ電源５０からＡＣ電源６０に切り替える切替処理の一例を示すフローチャートである。
【００４２】
まず、室外機マイコン３２は、空気調和機１をＡＣ電源（ＡＣ電源６０）で動作させているか否かを判定する（Ｓ１）。ＡＣ電源６０で動作させている場合（Ｓ１でＴｒｕｅ）、室外機マイコン３２は、切り替えを行わずに処理を終了する。
【００４３】
一方、ＡＣ電源６０で動作させていない場合（Ｓ１でＦａｌｓｅ）、すなわちＤＣ電源５０で動作させている場合、室外機マイコン３２は、蓄電池のＤＣ電圧が所定の閾値（Vdc_btry）未満であるか否かを判定する（Ｓ２、検出ステップ）。この判定は、ＤＣ過小電圧エラーの発生を検出するための処理であり、ＤＣ電圧異常検出回路２４から室外機マイコン３２に出力される電圧値と所定の閾値とを比較することによって行われる。
【００４４】
ここで、所定の閾値以上であれば（Ｓ２でＦａｌｓｅ）、室外機マイコン３２は、切り替えを行わずに処理を終了する。一方、所定の閾値未満の場合（Ｓ２でＴｒｕｅ）、すなわちＤＣ過小電圧エラーが発生している場合には、室外機マイコン３２は、ＡＣＤＣ切替ＳＷ２６をＤＣからＡＣに切り替えて（Ｓ３、切替ステップ）、処理を終了する。
【００４５】
なお、図４では図示を省略しているが、室外機マイコン３２は、ＤＣからＡＣへの切り替え前にはコンプレッサ等の消費電力の大きい構成の動作は停止させる。また、図４では図示を省略しているが、図３に基づいて説明したように、ＡＣＤＣ切替ＳＷ２６の切り替え前にＤＣ電源ＳＷ２１をＯＮからＯＦＦに切り替え、ＡＣＤＣ切替ＳＷ２６の切り替え後にＡＣ電源ＳＷ２２をＯＦＦからＯＮに切り替える。以下、図５〜８、１１についても同様である。
【００４６】
〔切替処理の流れ（昇圧後ＤＣ過小電圧エラー）〕
室外機マイコン３２は、コンバータ２７からの出力電圧が低下して昇圧後ＤＣ過小電圧エラーが発生したときにも、使用電源をＤＣ電源５０からＡＣ電源６０に切り替える。この切替処理の流れを図５に基づいて説明する。図５は、昇圧後ＤＣ過小電圧エラーの発生時に、使用電源をＤＣ電源５０からＡＣ電源６０に切り替える切替処理の一例を示すフローチャートである。なお、ここでは図４との相違点であるＳ２ａについてのみ説明し、図４と同様のＳ１およびＳ３の説明は省略する。
【００４７】
Ｓ２ａ（検出ステップ）では、室外機マイコン３２は、昇圧後のＤＣ電圧が所定の閾値（Vdc_pfc）未満であるか否かを判定する。この判定は、昇圧後ＤＣ過小電圧エラーの発生を検出するための処理であり、コンバータ異常検出回路２８から室外機マイコン３２に出力される電圧値と所定の閾値とを比較することによって行われる。ここで、所定の閾値以上であれば（Ｓ２ａでＦａｌｓｅ）切り替えを行わずに処理を終了し、一方、所定の閾値未満の場合（Ｓ２ａでＴｒｕｅ）、すなわち昇圧後ＤＣ過小電圧エラーが発生している場合にはＳ３で切り替えを行って処理を終了する。
【００４８】
〔切替処理の流れ（端子温度上昇エラー）〕
室外機マイコン３２は、ＤＣ電源５０と室外機２０とをつなぐ端子の温度が異常に上昇する端子温度上昇エラーが発生したときにも、使用電源をＤＣ電源５０からＡＣ電源６０に切り替える。この切替処理の流れを図６に基づいて説明する。図６は、端子温度上昇エラーの発生時に、使用電源をＤＣ電源５０からＡＣ電源６０に切り替える切替処理の一例を示すフローチャートである。なお、ここでは図４との相違点であるＳ２ｂについてのみ説明し、図４と同様のＳ１およびＳ３の説明は省略する。
【００４９】
Ｓ２ｂ（検出ステップ）では、室外機マイコン３２は、端子板温度ヒューズ断線信号を受信したか否かを判定する。この信号の受信は、ＤＣ電源５０と室外機２０とをつなぐ端子の温度が異常に上昇したことを示しているので、Ｓ２ｂの判定は端子温度上昇エラーが発生したか否かを判定しているとも言える。ここで、端子板温度ヒューズ断線信号を受信していなければ（Ｓ２ｂでＦａｌｓｅ）切り替えを行わずに処理を終了し、一方、受信していれば（Ｓ２ｂでＴｒｕｅ）、すなわち端子温度上昇エラーが発生している場合にはＳ３で切り替えを行って処理を終了する。
【００５０】
以上説明した図４〜図６では、ＤＣ電源５０に関する異常（エラー）の検出時にＤＣ電源５０からＡＣ電源６０に切り替える例を示した。これらの例のように、ＤＣ電源５０に関するエラーの検出時に切り替えを行うことにより、ＤＣ電源５０に関するエラーが発生しており、ＡＣ電源６０への切り替えの必要性が高い状況において、適切に切り替えを行うことができる。このため、上述したようなＤＣ電源５０に関するエラーの検出時には切り替えを行い、ＤＣ電源５０に関係のないエラーの検出時は切り替えを行わず、ＤＣ電源５０の使用を継続してもよい。
【００５１】
〔切替処理の流れ（任意のエラー）〕
空気調和機１のような機器には、ＤＣ電源５０に直接には関係しないエラーや、全く関係しないエラー等、多様なエラーが発生する可能性がある。エラーの例としては、例えば、吐出・熱交換機などのサイクル温度異常エラー、ＩＰＭエラー、ＡＣ電流エラー、ガスリークエラー、ファン制御エラー、および圧縮機制御エラー等が挙げられる。そして、多くのエラーでは、ＡＣ電源６０に切り替えておけば（ＡＣＤＣ切替ＳＷ２６をＡＣ側にしておけば）、その後も空気調和機１の動作を継続することが可能であり、また、空気調和機１の動作が一旦停止した後で再起動することが可能である。このため、検出したエラーの種類にかかわらずＤＣ電源５０からＡＣ電源６０に切り替えてもよい。
【００５２】
ここでは、室外機マイコン３２が任意のエラーを検出したときに、使用電源をＤＣ電源５０からＡＣ電源６０に切り替える切替処理の流れを図７に基づいて説明する。図７は、任意のエラーの発生時に、使用電源をＤＣ電源５０からＡＣ電源６０に切り替える切替処理の一例を示すフローチャートである。なお、ここでは図４との相違点であるＳ２ｃについてのみ説明し、図４と同様のＳ１およびＳ３の説明は省略する。
【００５３】
Ｓ２ｃ（検出ステップ）では、室外機マイコン３２は、異常（エラー）を検出したか否かを判定する。なお、エラーの検出方法は、エラーの種類に応じた公知の方法を適用することができる。ここで、エラーを検出していなければ（Ｓ２ｃでＦａｌｓｅ）切り替えを行わずに処理を終了し、一方、検出していれば（Ｓ２ｃでＴｒｕｅ）、すなわち何らかのエラーが発生している場合にはＳ３で切り替えを行って処理を終了する。
【００５４】
〔切替処理の流れ（運転停止時）〕
上述のように、空気調和機１は、ＡＣＤＣ切替ＳＷ２６をＤＣ側とした状態で運転を停止した場合、運転停止後もＤＣ電源６０から室外機２０への電力供給が継続する。このため、空気調和機１は、運転を停止する際に、ＡＣＤＣ切替ＳＷ２６をＡＣ側に切り替えて、使用電源をＤＣ電源５０からＡＣ電源６０に切り替える。
【００５５】
ここでは、運転停止時に使用電源をＤＣ電源５０からＡＣ電源６０に切り替える切替処理の流れを図８に基づいて説明する。図８は、運転停止時に使用電源をＤＣ電源５０からＡＣ電源６０に切り替える切替処理の一例を示すフローチャートである。なお、ここでは図４との相違点であるＳ２ｄについてのみ説明し、図４と同様のＳ１およびＳ３の説明は省略する。
【００５６】
Ｓ２ｄ（検出ステップ）では、室外機マイコン３２は、空気調和機１の運転を停止する運転ＯＦＦ信号を検出したか否かを判定する。なお、運転ＯＦＦ信号は、ユーザが例えばリモートコントローラ等によって室内機１０に運転停止指示を行ったことに応じて、室内機１０から室外機マイコン３２に送信される。つまり、図１には示していないが、空気調和機１は、空気調和機を動作停止状態とすることを検出するための停止検出回路を備えている。そして、上記停止検出回路は、空気調和機を動作停止状態とするときに、室外機マイコン３２に運転ＯＦＦ信号を送信する。ここで、運転ＯＦＦ信号を検出していなければ（Ｓ２ｄでＦａｌｓｅ）切り替えを行わずに処理を終了し、一方、検出していれば（Ｓ２ｄでＴｒｕｅ）、すなわち空気調和機１の運転を停止する場合にはＳ３で切り替えを行って処理を終了する。
【００５７】
なお、運転ＯＦＦ信号の検出時以外にも、室内機１０のＡＣ電源ＳＷ１１がＯＦＦとなる条件を充足した場合には、ＯＦＦとなる前にＤＣ電源５０からＡＣ電源６０に切り替えることが好ましい。例えば、室内機１０のＡＣ電源ＳＷ１１がＯＦＦとなるようなエラーを検出した場合に、ＤＣ電源５０からＡＣ電源６０に切り替えてもよい。この例によれば、図７の例のように任意のエラーの検出を切り替えの契機としなくとも、室内機１０のＡＣ電源ＳＷ１１がＯＦＦとなる場合に、適切に切り替えを行うことができる。
【００５８】
〔実施形態２〕
本発明の他の実施形態について、図９〜図１３に基づいて説明すれば、以下のとおりである。なお、説明の便宜上、上記実施形態にて説明した部材と同じ機能を有する部材については、同じ符号を付記し、その説明を省略する。
【００５９】
太陽電池を利用して空気調和機を動作させる先行技術としては、例えば下記の特許文献２が挙げられ、蓄電地を電源として空気調和機を動作させる先行技術としては、例えば下記の特許文献３が挙げられる。また、太陽電池と蓄電池を併用して空気調和機を動作させる先行技術としては、例えば下記の特許文献４が挙げられる。
【００６０】
ここで、太陽電池にて発電した電力は、電力会社に売電することができるが、太陽電池と蓄電池を併用したシステムの場合、発電中における蓄電池の使用の有無に応じて異なる売電価格が設定されている。すなわち、発電中に蓄電池を使用している場合（「押し上げあり」と呼ばれる）は、使用していない場合（「押し上げなし」と呼ばれる）と比べて低い売電価格が設定されている。これは、蓄電池は太陽光発電の売電価格より買電価格が安い商用電源にて充電することが可能であるためである。
【００６１】
押し上げの有無は、太陽電池と接続されたパワーコンディショナで判定されており、太陽電池にて発電した電力の売電が開始された後、所定の時間（０．５秒）以内に蓄電池のＤＣ電力の使用を停止しなければ押し上げありとなる。
【００６２】
〔特許文献２〕特開平５−１６８１７２号公報（１９９３年７月２日公開）
〔特許文献３〕特開２００１−６５９２７号公報（２００１年３月１６日公開）
〔特許文献４〕特開２０００−２１７２７１号公報（２０００年８月４日公開）
しかしながら、上記従来技術では、売電について特に考慮されておらず、押し上げありとなることを回避することができないという問題がある。なお、パワーコンディショナを含めた、家庭で使用する様々な機器を管理するシステムとして、ＨＥＭＳ（Home Energy Management System）が知られている。ＨＥＭＳを利用することにより、パワーコンディショナが売電開始したことを検出して、空気調和機の電力供給源を切り替えることは可能である。しかし、このような制御では、電力供給源の切り替えまでに時間のロスが生じるので、上記所定時間内での切り替えが難しい。例えば、パワーコンディショナの売電状態を３０秒間隔で監視するＨＥＭＳでは、上記所定時間内に電力供給源を切り替えさせることは困難である。また、監視の時間間隔を上記所定時間に応じた短い時間にすると、ＨＥＭＳの負荷が著しく高まるので好ましくない。
【００６３】
本実施形態では、上記課題を解決するために、パワーコンディショナの売電情報を電気信号として空気調和機１に入力することにより、瞬時にＤＣ電力の使用を中止してＡＣ電力による運転に切り替える。これにより、押し上げありとなることを回避して、押し上げなしの高い売電価格で売電することが可能になる。
【００６４】
〔システム構成〕
本実施形態のシステムの構成を図９に基づいて説明する。図９は、売電開始時に電力供給源をＤＣ電源５０からＡＣ電源６０に切り替えるシステムの概要を示すブロック図である。図９には、図１に示した構成に加えて、パワーコンディショナ（外部の装置）７０と太陽電池８０を図示している。
【００６５】
太陽電池８０は、光エネルギーを電気エネルギーに変換する装置であり、太陽電池８０が発電した電力はまずパワーコンディショナ７０に供給される。パワーコンディショナ７０は、太陽電池８０が発電した電気を空気調和機１等で使用できるように変換する装置である。また、パワーコンディショナ７０は、売電の制御も行う。具体的には、パワーコンディショナ７０は、太陽電池８０が発電した電力を、図示しない送電線に逆流させて他の電力消費先に供給する。そして、この供給量を売電量としてカウントする。
【００６６】
本実施形態のパワーコンディショナ７０は、売電開始時に、売電を開始する（あるいは開始した）ことを示す売電情報（信号）を室外機２０に出力する点が従来のパワーコンディショナとの相違点である。そして、本実施形態の室外機２０は、上記売電情報の受信を契機として、電力供給源をＤＣ電源５０からＡＣ電源６０に切り替える。
【００６７】
これにより、売電開始時に速やかにＤＣ電源５０の使用が中止されるので、押し上げなしの高い売電価格で売電することが可能になる。また、電力供給源は、自動的にＡＣ電源６０に切り替えられるので、ユーザは何ら操作を行うことなく空気調和機１の使用を継続することができる。なお、本実施形態の切り替えは、上記実施形態の切り替えと併用することができる。つまり、エラー等の発生時にＡＣ電源６０への切り替えを行うと共に、売電開始時にもＡＣ電源６０への切り替えを行う空気調和機１も本発明の範疇に含まれる。
【００６８】
〔詳細構成〕
続いて、本実施形態の室外機２０およびパワーコンディショナ７０のより詳細な構成を図１０に基づいて説明する。図１０は、室外機２０およびパワーコンディショナ７０の要部構成を示す図である。なお、室外機２０は、図１と同様にＡＣとＤＣの切り替えを行うための各種構成を備えているが、図１０では図示を省略している。
【００６９】
図示のように、パワーコンディショナ７０は、売電開始通知用ＳＷ７１を備えている。売電開始通知用ＳＷ７１は、パワーコンディショナ７０が売電を開始したときにＯＮに切り替わり、売電の終了時にＯＦＦに切り替わるスイッチ（リレースイッチ）である。つまり、売電開始通知用ＳＷ７１は、売電中はＯＮ、非売電中はＯＦＦとなる。
【００７０】
一方、室外機２０は、売電開始検出回路４０を備えている。売電開始検出回路４０は、売電開始通知用ＳＷ７１の一方の端子を０Ｖに接続する配線と、売電開始通知用ＳＷ７１の他方の端子を抵抗（プルアップ抵抗、例えば１ＫΩ）を介して５Ｖに接続する配線とを含む。また、売電開始検出回路４０は、参照電圧を室外機マイコン３２に出力するための配線を含み、該配線は、上記他方の端子と上記抵抗との間の部分と室外機マイコン３２とを接続している。
【００７１】
売電が行われておらず、売電開始通知用ＳＷ７１がＯＦＦの状態では、売電開始検出回路４０は、抵抗を介して５Ｖの参照電圧（Ｈｉレベル信号）を室外機マイコン３２に出力する。室外機マイコン３２は、Ｈｉレベル信号を受信しても使用電源の切り替えは行わない。
【００７２】
一方、売電が開始され、売電開始通知用ＳＷ７１がＯＮとなると、売電開始検出回路４０は、０Ｖの参照電圧（Ｌｏｗレベル信号）を室外機マイコン３２に出力する。より詳細には、売電開始検出回路４０の０Ｖに接続されている配線から、売電開始通知用ＳＷ７１を介して室外機マイコン３２にＬｏｗレベル信号（図９の売電情報に対応）が出力される。そして、このときの使用電源がＤＣ電源５０であれば、室外機マイコン３２は使用電源をＡＣ電源６０に切り替える。
【００７３】
〔切替処理の流れ（売電開始検出）〕
本実施形態の室外機マイコン３２が実行する切替処理の流れを図１１に基づいて説明する。図１１は、売電開始検出時に、使用電源をＤＣ電源５０からＡＣ電源６０に切り替える切替処理の一例を示すフローチャートである。なお、ここでは図４との相違点であるＳ２ｅについてのみ説明し、図４と同様のＳ１およびＳ３の説明は省略する。
【００７４】
Ｓ２ｅでは、室外機マイコン３２は、パワーコンディショナ７０（より詳細には売電開始通知用ＳＷ７１）からの入力が０Ｖ（Ｌｏｗレベル）であるか否か、言い換えれば売電開始したことを検出したか否かを判定する。上述のように、パワーコンディショナ７０の売電開始通知用ＳＷ７１がＯＦＦの状態では室外機マイコン３２に入力される参照電圧は５Ｖ（Ｈｉレベル）であり、ＯＮに切り替わると０Ｖ（Ｌｏｗレベル）となる。
【００７５】
ここで、入力が５Ｖであれば（Ｓ２ｅでＦａｌｓｅ）切り替えを行わずに処理を終了する。この場合、コンプレッサ等も含めて室外機２０の動作に変更はない。一方、０Ｖであれば（Ｓ２ｅでＴｒｕｅ）Ｓ３で切り替えを行って処理を終了する。なお、上述のように、押し上げなしで売電するためには、売電開始後、所定時間以内にＤＣ電力の使用を停止する必要があるため、Ｓ３では上記所定時間以内に速やかにＤＣ電力の使用を停止する。また、図示していないが、上記実施形態と同様、切り替え前にはコンプレッサ等の消費電力の大きい構成の動作は停止させる。
【００７６】
〔ＤＣ電圧異常検出回路の利用〕
ＤＣ電圧異常検出回路２４を利用して売電開始を検出することもできる。これについて図１２に基づいて説明する。図１２は、ＤＣ電圧異常検出回路２４を利用して売電開始を検出する売電開始検出回路４１の例を示す図である。
【００７７】
売電開始検出回路４１は、ＤＣ電圧異常検出回路２４を含む。そして、売電開始検出回路４１は、売電開始通知用ＳＷ７１の一方の端子を、ＤＣ電圧異常検出回路２４の抵抗２４２側の端部に接続する配線と、売電開始通知用ＳＷ７１の他方の端子を、ＤＣ電圧異常検出回路２４が参照電圧を出力する配線に接続する配線とを含む。上述のように、抵抗２４１は例えば７８０ＫΩ、抵抗２４２は例えば３７．５ＫΩとしてもよい。そして、この場合、室外機マイコン３２は、ＤＣ電圧異常検出回路２４からの出力電圧値が所定の閾値（例えば３．７５Ｖ：ＤＣ電源５０の供給電圧が約８０Ｖの場合に相当）未満となったときに、ＤＣ過小電圧エラーが発生したと判定してもよい。
【００７８】
売電開始検出回路４１は、売電開始通知用ＳＷ７１がＯＦＦであれば、ＤＣ電圧異常検出回路２４の参照電圧をそのまま室外機マイコン３２に出力する。つまり、売電開始通知用ＳＷ７１がＯＦＦの期間（非売電中）は、売電開始検出回路４１は、ＤＣ過小電圧エラーの検出回路として機能する。よって、室外機マイコン３２は、非売電中においては、図４等に基づいて説明したように、ＤＣ過小電圧エラーの発生時に使用電源をＤＣ電源５０からＡＣ電源６０に切り替える。
【００７９】
一方、売電開始通知用ＳＷ７１がＯＮであれば、売電開始検出回路４１の出力する参照電圧は、０Ｖ（Ｌｏｗレベル）となる。よって、室外機マイコン３２は、売電中においては、ＤＣ過小電圧エラーが発生したと判定し、使用電源をＤＣ電源５０からＡＣ電源６０に切り替える。
【００８０】
このように、売電開始検出回路４１は、ＤＣ過小電圧エラーを契機として使用電源をＤＣ電源５０からＡＣ電源６０に切り替える室外機マイコン３２をそのまま適用して、売電開始時に使用電源をＤＣ電源５０からＡＣ電源６０に切り替えさせることができる。なお、売電開始検出回路４１と同様に、売電開始時に出力値がエラーとして検出される値となるように、他のエラー検出回路（例えばコンバータ異常検出回路２８）の設計を変更することも可能である。
【００８１】
〔ノイズの抑制〕
上記図１０および図１２の例において、伝送される信号のノイズを抑制するための構成を追加してもよい。これについて、図１３に基づいて説明する。図１３は、伝送される信号のノイズを抑制するための構成を備えた売電開始検出回路４０ａおよび４１ａの例を示す図である。
【００８２】
同図の（ａ）に示す売電開始検出回路４０ａは、図１０の売電開始検出回路４０にコモンモードコイル（ノイズ除去部）４０１と、コンデンサ（ノイズ除去部）４０２および４０３とを追加した構成である。コモンモードコイル４０１は、図示しないパワーコンディショナ７０の売電開始通知用ＳＷ７１と室外機２０とを結ぶ２本の配線を跨いで設けられている。つまり、コモンモードコイル４０１に含まれるコイルの一方は、売電開始通知用ＳＷ７１と室外機２０とを結ぶ配線の１つに設けられている。そして、コモンモードコイル４０１に含まれるコイルの他方は、上記一方のコイルと対向するように、売電開始通知用ＳＷ７１と室外機２０とを結ぶ配線の他の１つに設けられている。これにより、売電開始通知用ＳＷ７１と室外機２０との間で伝送される信号（売電信号）からノイズ成分を除去することができる。
【００８３】
また、コンデンサ４０２および４０３は、いずれも売電開始通知用ＳＷ７１と並列に接続されている。コンデンサ４０３は、コモンモードコイル４０１よりも売電開始通知用ＳＷ７１側に、コンデンサ４０２は、コモンモードコイル４０１よりも室外機マイコン３２側に接続されている。コンデンサ４０２および４０３によって、フィルタ回路が形成されるので、売電開始通知用ＳＷ７１と室外機２０との間で伝送される信号（売電信号）からノイズ成分を除去することができる。
【００８４】
同図の（ｂ）に示す売電開始検出回路４１ａは、図１２の売電開始検出回路４１にコモンモードコイル４０１と、コンデンサ４０２および４０３とを追加した構成である。図１３の（ａ）に示す売電開始検出回路４０ａと同様に、売電開始通知用ＳＷ７１と室外機２０とを結ぶ配線にコモンモードコイル４０１と、コンデンサ４０２および４０３とを設けている。これにより、売電開始通知用ＳＷ７１と室外機２０との間で伝送される信号（売電信号）からノイズ成分を除去することができる。なお、図１３の（ａ）（ｂ）の例では、コモンモードコイル４０１と、コンデンサ４０２および４０３との両方を設けているが、いずれか一方を設けた構成であってもノイズ除去の効果を得ることは可能である。
【００８５】
〔実施形態３〕
本発明の他の実施形態は、実施形態１と実施形態２の空気調和機の制御を組み合わせたものである。これにより、実施形態１と実施形態２の特徴をもつ空気調和機を提供することができる。
【００８６】
〔まとめ〕
本発明の態様１に係る空気調和機（１）は、交流電源（ＡＣ電源６０）または直流電源（ＤＣ電源５０）から供給される電力によって動作する空気調和機であって、電力の供給源を交流電源と直流電源とで切り替える切替部（ＡＣＤＣ切替ＳＷ２６）と、電力の供給源が直流電源であるときに上記空気調和機に異常が発生したことを検出した場合に、上記切替部を制御して電力の供給源を交流電源に切り替える制御部（室外機マイコン３２）と、を備えている。
【００８７】
上記の構成によれば、直流電源である状態で空気調和機に異常が発生したことを検出した場合に、電力の供給源を交流電源に切り替えるので、異常発生後に直流電源による動作が継続することがない。よって、異常発生後に直流電源の使用状態を継続することによって生じ得る様々な問題の発生を回避することができる。
【００８８】
本発明の態様２に係る空気調和機は、上記態様１において、上記直流電源から供給される電圧が所定の閾値未満となる異常を検出するための電圧異常検出回路（ＤＣ電圧異常検出回路２４）を備えていてもよい。
【００８９】
上記の構成によれば、直流電源から供給される電圧が所定の閾値未満となる異常を検出することができ、よって、この異常を検出した場合に、電力の供給源を交流電源に切り替えることができる。これにより、供給電圧が低下した直流電源の利用を継続することにより、空気調和機が電力不足で動作停止してしまう、あるいは動作停止後に制御部に給電できないことにより再起動が不能になる等の問題の発生を回避することができる。
【００９０】
本発明の態様３に係る空気調和機は、上記態様１または２において、上記直流電源の昇圧回路から供給される電圧が所定の閾値未満となる異常を検出するための昇圧後電圧異常検出回路を備えていてもよい。
【００９１】
上記の構成によれば、直流電源の昇圧回路から供給される電圧が所定の閾値未満となる異常を検出することができ、よって、この異常を検出した場合に、電力の供給源を交流電源に切り替えることができる。これにより、正常な電圧値まで昇圧できない状態で直流電源の利用を継続することにより、空気調和機が動作停止してしまう等の問題の発生を回避することができる。
【００９２】
本発明の態様４に係る空気調和機は、上記態様１から３のいずれか１態様において、上記直流電源の上記空気調和機への接続部分における温度異常を検出するための温度異常検出回路を備えていてもよい。
【００９３】
上記の構成によれば、直流電源の上記空気調和機への接続部分における温度異常を検出することができ、よって、この異常を検出した場合に、電力の供給源を交流電源に切り替えることができる。これにより、温度異常の状態で直流電源の利用を継続することにより、空気調和機が正常に動作しなくなる、あるいは過熱により空気調和機や直流電源が損傷する等の問題の発生を回避することができる。
【００９４】
本発明の態様５に係る空気調和機は、交流電源または直流電源から供給される電力によって動作する空気調和機であって、電力の供給源を交流電源と直流電源とで切り替える切替部と、上記空気調和機を動作停止状態とすることを検出するための停止検出回路と、電力の供給源が直流電源であるときに、上記停止検出回路からの出力に基づいて上記空気調和機を動作停止状態とすることを検出した場合に、上記切替部を制御して電力の供給源を交流電源に切り替える制御部と、を備えている。
【００９５】
上記の構成によれば、空気調和機を動作停止状態とすることを検出した場合に、電力の供給源を交流電源に切り替えるので、電力の供給源が直流電源である状態で空気調和機を動作停止状態とすることがない。よって、空気調和機が動作停止状態となった後に、直流電源の使用状態を継続することにより直流電源からの電力が空気調和機に供給され続ける問題の発生を回避することができる。
【００９６】
本発明の態様６に係る空気調和機は、上記態様１から５のいずれか１態様において、上記直流電源は太陽電池にて発電した電力を蓄えることのできる蓄電池であり、上記太陽電池にて発電した電力の売電開始を検出するための売電開始検出回路を備え、上記制御部は、上記売電開始検出回路からの出力に基づいて売電開始を検出した場合に、上記切替部を制御して電力の供給源を交流電源に切り替えてもよい。
【００９７】
上記の構成によれば、売電開始を検出して電力の供給源を交流電源に切り替える。よって、売電開始後速やかに直流電源（蓄電池）の使用が停止されるので、押し上げありで売電することにより、売電価格が低下してしまう問題の発生を回避することができる。
【００９８】
本発明の態様７に係る空気調和機は、上記態様６において、上記売電開始検出回路は、非売電時には上記空気調和機の異常を検出するための値を出力し、売電時には上記制御部が、上記空気調和機の異常と検出する値を出力し、上記制御部は、売電開始検出回路からの出力に基づいて上記空気調和機の異常を検出した場合に、上記切替部を制御して電力の供給源を交流電源に切り替えてもよい。
【００９９】
上記の構成によれば、非売電時には空気調和機の異常を検出するための値を出力するので、非売電時に空気調和機に異常が発生したときには、これを検出して電力の供給源を交流電源に切り替えることができる。また、売電時には、売電開始検出回路が空気調和機の異常と検出する値を出力するので、このときにも電力の供給源を交流電源に切り替えることができる。
【０１００】
よって、売電開始検出回路という１つの回路を用い、異常の有無という１つの判定基準による判定にて、空気調和機の異常時の交流電源への切り替えと、売電時の交流電源への切り替えとの双方を実現することができる。
【０１０１】
本発明の態様８に係る空気調和機は、上記態様６または７において、上記売電開始検出回路は、売電が開始された、または開始されることを示す売電信号を外部の装置から受信し、該売電信号を受信したことを示す値を上記制御部に出力するものであり、上記外部の装置から上記売電信号を受信する配線に、該売電信号に含まれるノイズを除去するノイズ除去部が設けられていてもよい。
【０１０２】
上記の構成によれば、売電信号に含まれるノイズを除去するので、売電信号を確実に検出して売電時に交流電源に切り替えることができる。
【０１０３】
本発明の態様９に係る空気調和機の制御方法は、交流電源または直流電源から供給される電力によって動作する空気調和機の制御方法であって、上記空気調和機に異常が発生したことを検出する検出ステップと、電力の供給源が直流電源であるときに、上記検出ステップにて上記空気調和機に異常が発生したことを検出した場合に、電力の供給源を交流電源に切り替える切替ステップと、を含む。該制御方法によれば、上記態様１と同様の作用効果を奏する。
【０１０４】
本発明の態様１０に係る空気調和機の制御方法は、交流電源または直流電源から供給される電力によって動作する空気調和機の制御方法であって、上記空気調和機への電力供給が停止することを検出する検出ステップと、電力の供給源が直流電源であるときに、上記検出ステップにて上記空気調和機への電力供給が停止することを検出した場合に、電力の供給源を交流電源に切り替える切替ステップと、を含む。該制御方法によれば、上記態様５と同様の作用効果を奏する。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０６】
１      空気調和機
２４      ＤＣ電圧異常検出回路（電圧異常検出回路）
２６      ＡＣＤＣ切替ＳＷ（切替部）
２７      コンバータ（昇圧回路）
２８      コンバータ異常検出回路（昇圧後電圧異常検出回路）
３２      室外機マイコン（制御部）
３３      ＤＣ端子板温度ヒューズ（温度異常検出回路）
４０、４０ａ、４１、４１ａ      売電開始検出回路
５０      ＤＣ電源（直流電源）
６０      ＡＣ電源（交流電源）
７０      パワーコンディショナ（外部の装置）
８０      太陽電池
４０２、４０３      コンデンサ（ノイズ除去部）
４０１      コモンモードコイル（ノイズ除去部）
【図１】
0006765174.tif 000002
【図２】
0006765174.tif 000003
【図３】
0006765174.tif 000004
【図４】
0006765174.tif 000005
【図５】
0006765174.tif 000006
【図６】
0006765174.tif 000007
【図７】
0006765174.tif 000008
【図８】
0006765174.tif 000009
【図９】
0006765174.tif 000010
【図１０】
0006765174.tif 000011
【図１１】
0006765174.tif 000012
【図１２】
0006765174.tif 000013
【図１３】
0006765174.tif 000014